(57)【要約】【課題】  安価な構成により、主ブレーカおよび複数個の分岐ブレーカを有する取付板をケース側に強固に取付け可能な分電盤を提供する。【解決手段】  分電盤１は、一面２ａ側に主ブレーカ５および複数個の分岐ブレーカ６が配設され、複数個の取付孔１０が設けられた金属製の取付板２と、底部２３を有して取付板２を収納する箱状に形成され、底部２３に複数個の取付孔１０にそれぞれ対応する複数個の挿通孔２６が設けられた合成樹脂製のケース３と、取付板２の取付孔１０およびケース３の挿通孔２６をそれぞれ通して造営物２８にねじ込まれ、造営物２８に取付板２およびケース３の底部２３を共締めする複数個のねじ４と、を具備している。【選択図】図２
2014197916.tif 000002
【特許請求の範囲】
【請求項１】
一面側に主ブレーカおよびこの主ブレーカの出力側に接続される複数個の分岐ブレーカが配設され、複数個の取付孔が設けられた金属製の取付板と；
底部を有して前記取付板を収納する箱状に形成され、前記底部に前記複数個の取付孔にそれぞれ対応する複数個の挿通孔が設けられた合成樹脂製のケースと；
前記取付板の取付孔および前記ケースの挿通孔をそれぞれ通して造営物にねじ込まれ、前記造営物に前記取付板および前記ケースの底部を共締めする複数個のねじと；
を具備していることを特徴とする分電盤。
【発明の詳細な説明】
【技術分野】
【０００１】
本発明の実施形態は、住宅や店舗などで使用される分電盤に関する。
【背景技術】
【０００２】
この種の分電盤は、壁面などの造営物に取り付けられるケースとしてのベースおよびこのベースの前面に着脱可能に取り付けられる扉を有する本体と、この本体内に配設された主ブレーカおよび複数個の分岐ブレーカなどを有してなる機器ユニットを具備して構成されている。ベースは、合成樹脂により形成されている。そして、機器ユニットは、主ブレーカおよび複数個の分岐ブレーカなどを金属製の取付板に取り付けて形成している。取付板は、取付板を通したねじがベースのねじ孔に螺合されることにより、ベースに取り付けられている（例えば特許文献１参照。）。
【０００３】
しかしながら、機器ユニットは、主ブレーカおよび複数個の分岐ブレーカなどの数量が多くなると、相応の重量を有するようになる。この場合、ベースの板厚を相当厚くしてねじ孔を深くすることによって所定の強度を確保する必要があった。あるいは、ねじの数量を多くして取付板を強固にベースに取り付ける必要があった。一方、ベースの強度を増加し不燃性を持たせるために、鉄板の表面が露出するようにベースの合成樹脂の成形に合わせて鉄板を埋設する分電盤が提案されている（特許文献２参照。）。当該分電盤は、鉄板の存在により合成樹脂の板厚を厚くすることなく十分な強度を得ることができるというものである。
【先行技術文献】
【特許文献】
【０００４】
【特許文献１】特開２０００−２７０４２３号公報（第２−３頁、第１図）
【特許文献２】特公昭６３−２９４８３号公報（第１−２頁、第６図）
【発明の概要】
【発明が解決しようとする課題】
【０００５】
しかしながら、特許文献１のものはベースが重くなったり、取付工数が増えたりする問題がある。また、特許文献２のものは、分電盤本体の製造に手間を要するものであり、分電盤の製造コストを上昇させるという欠点を有する。
【０００６】
本実施形態は、安価な構成により、主ブレーカおよび複数個の分岐ブレーカを有する取付板をケース側に強固に取付け可能な分電盤を提供することを目的とする。
【課題を解決するための手段】
【０００７】
本実施形態の分電盤は、金属製の取付板、合成樹脂製のケースおよび複数個のねじを有して構成される。
【０００８】
金属製の取付板は、一面側に主ブレーカおよび主ブレーカの出力側に接続される複数個の分岐ブレーカが配設される。そして、取付板には、複数個の取付孔が設けられている。
【０００９】
合成樹脂製のケースは、底部を有して取付板を収納する箱状に形成される。そして、ケースには、その底部に取付板の複数個の取付孔にそれぞれ対応する複数個の挿通孔が設けられている。
【００１０】
複数個のねじは、取付板の複数個の取付孔およびケースの複数個の挿通孔をそれぞれ通して造営物にねじ込まれる。このねじ込みによって、取付板およびケースの底部を造営物に共締めし、ケースを造営物に取り付けている。
【発明の効果】
【００１１】
本発明の実施形態によれば、取付板は、複数個のねじにより、ケースの底部を介して造営物に取り付けられるので、比較的重量のある取付板を簡易な構成で造営物に強固に取付できることが期待できる。
【図面の簡単な説明】
【００１２】
【図１】本発明の実施形態を示す扉を取り外した状態の分電盤の概略正面図である。
【図２】同じく、カバーを取り外した状態の分電盤の概略正面図である。
【図３】同じく、分電盤の概略側断面図である。
【図４】同じく、取付板を取り外した状態のケースの概略正面図である。
【図５】同じく、ブレーカが取り付けられた取付板の概略正面図である。
【図６】同じく、取付板の概略正面図である。
【発明を実施するための形態】
【００１３】
以下、本発明の一実施の形態について、図面を参照して説明する。本実施形態の分電盤１は、例えば住宅や店舗に設置されるものであり、図２に示すように、金属製の取付板２、合成樹脂製のケース３および複数個のねじ４を有して構成されている。主ブレーカ５、複数個の分岐ブレーカ６等は、取付板２に取り付けられてケース３に収納されている。
【００１４】
取付板２は、例えば厚さ２．０ｍｍの冷間圧延鋼板からなり、図６に示すように、長形の本体部７およびこの本体部７の短手方向両側から外方に突出する長方形の耳部８，９を有して形成されている。耳部９は、耳部８よりも本体部７から幾分大きく突出形成されている。本実施形態では、耳部８は、本体部７の短手方向一端側７ａに３個が形成され、耳部９は、同じく他端側７ｂに２個が形成されている。
【００１５】
耳部８，９は、本体部７の短手方向に対をなすように設けられ、一対の耳部８ａ，９ａは、本体部７の長手方向一端部７ｃに設けられている。また、３個の耳部８は、本体部７の長手方向に等間隔に設けられている。そして、耳部８，９には、円形の取付孔１０がそれぞれ設けられている。この取付孔１０は、ねじ４を取り付けるものである。また、本体部７には、主ブレーカ５および分岐ブレーカ６などの取付用のねじ孔１１が多数個形成されている。耳部８ａには、ケース３の突起物１２（図２に示す。）を通す逃げ孔１３が設けられている。
【００１６】
本体部７には、図５に示すように、一面７ａ側に主ブレーカ５および複数個の分岐ブレーカ６などが取り付けられている。主ブレーカ５は、配設台１４に取り付けられ、この配設台１４が本体部７のねじ孔１１に不図示のねじで取り付けられている。また、複数個の分岐ブレーカ６は、配設台１５に取り付けられ、この配設台１５が本体部７のねじ孔１１に不図示のねじで取り付けられている。複数個の分岐ブレーカ６は、配設台１５の長手方向に沿って互いに接近して並設されているとともに、配設台１５の短手方向（図５中、上下方向）に上段および下段の２段に配設されている。上段側の分岐ブレーカ６よび下段側の分岐ブレーカ６は、互いに反対側を向くように配設されている。複数個の分岐ブレーカ６は、不図示の電線や導電バーなどにより、主ブレーカ５に接続されている。
【００１７】
また、本体部７には、他のブレーカ１６，１７が取り付けられている。ブレーカ１７は、配設台１８に固定され、配設台１８を介して本体部７に取り付けられている。ブレーカ１６は、例えば太陽光発電設備に接続される。また、ブレーカ１７は、例えばガス発電設備や蓄電設備などに接続される。ブレーカ１６の出力端子１６ｂは、電線１９により、主ブレーカ５の入力端子５ａに接続されている。また、ブレーカ１７の出力端子１７ｂは、電線２０を介して端子台２１に接続され、さらに導電板２２を介して複数個の分岐ブレーカ６の不図示の入力端子に接続されている。取付板２は、主ブレーカ５、複数個の分岐ブレーカ６およびブレーカ１６，１７を取り付けているので、相応の重量物となっている。
【００１８】
取付板２は、主ブレーカ５および複数個の分岐ブレーカ６等を取り付けた状態で、ケース３に収納される。ケース３は、合成樹脂例えばスチロール樹脂からなり、図４に示すように、底部２３を有する長方形の箱状に形成されている。底部２３には、外部から電源線等を導入するための開口２４が複数設けられ、多数個の取付用バー２５が設けられている。複数の開口２４は、形状や大きさが異なっている。また、底部２３には、取付板２の複数個の取付孔１０にそれぞれ対応する挿通孔２６が設けられている。挿通孔２６は、ねじ４を挿通するものである。また、底部２３の内側には、取付板２の逃げ孔１３に対応する突起物１２が形成されている。さらに、底部２３には、ケース３の長手方向中央部であって短手方向一端側３ａに、だるま孔２７が設けられている。だるま孔２７は、ケース３を壁面等に取り付けるときに利用されるものである。ケース３は、本実施形態では、例えば、長手寸法が７４０ｍｍ、短手寸法が３２０ｍｍ、高さ寸法が６０ｍｍに形成されている。
【００１９】
ケース３は、図３に示すように、複数個のねじ４により壁面などの造営物２８に取り付けられている。すなわち、取付板２の逃げ孔１３にケース３の突起物１２を挿通させ、取付板２の複数個の取付孔１０とケース３の挿通孔２６とをそれぞれ位置合わせした状態で、取付孔１０および挿通孔２６を通したねじ４が造営物２８に完全にねじ込まれている。本実施形態では、ねじ４は、木ねじであり、造営物２８に埋め込まれた角材２９にねじ込まれている。角材２９は、例えば正四角柱に形成され、補強材として機能する。取付板２の耳部８，９およびケース３の底部２３は、ねじ４により角材２９に共締めされ、これにより、取付板２およびケース３は、造営物２８側に固定されている。なお、図３において、３０は扉であり、分電盤１の一部を形成している。扉３０は、主ブレーカ５や分岐ブレーカ６などを操作するときに開けられる。
【００２０】
こうして、図２に示すように、複数個のねじ４により、取付板２がケース３の底部２３に取り付けられている。そして、ケース３内には、図１に示すように、主ブレーカ５、複数個の分岐ブレーカ６およびブレーカ１６，１７などの主要部が露出するようにしてカバー３１が設けられている。
次に、本実施形態の作用について述べる。
【００２１】
分電盤１を壁面などの造営物２８に取り付けるには、まず、主ブレーカ５や分岐ブレーカ６などを取り付けた取付板２をケース３に収容して底部２３に載せる。このとき、ケース３の突起物１２を取付板２の逃げ孔１３に挿入させる。これにより、取付板２は、底部２３の所定の位置に設置される。突起物１２が逃げ孔１３に止まることにより、取付板２のケース３の底部２３での移動が限定的となり、ケース３の挿通孔２６と取付板２の取付孔１０との位置合わせが容易となる。
【００２２】
そして、取付板２を収容した状態で、ケース３を設置する角材２９側に押し当てる。このとき、予め角材２９にねじや棒状体などの支持体を取り付けておき、この支持体をケース３のだるま孔２７に通して、ケース３を支持体に引っ掛けるようにするとよい。これにより、ケース３を手で支持する負担が軽減される。また、ケース３を角材２９側に押し当てるときに、造営物２８側からの電源線等を取付体２の本体部７周りのケース３の開口２４からケース３内に引き込むようにする。
【００２３】
また、ケース３を角材２９側に押し当てるときに、前もって、ケース３の複数個の挿通孔２６と取付板２の複数個の取付孔１０とをそれぞれ位置合わせして、取付孔１０側から挿通孔２６にねじ４を挿入しておく。このとき、ねじ４が取付孔１０から落下しないようにテープ等で仮固定しておくとよい。なお、複数個のねじ４の前記挿入は、ケース３を角材２９側に押し当てたときに、個々に行ってもよい。
【００２４】
ケース３を角材２９側に押し当てながら、複数個のねじ４を角材２９に順次ねじ込み、最終的に完全にねじ込む。これにより、取付板２の耳部８，９およびケース３の底部２３は、角材２９に複数個のねじ４により共締めされる。すなわち、複数個のねじ４が角材２９に取り付けられることにより、ケース３は、角材２９に強固に取り付けられ、取付板２は、ケース３の底部２３を介して角材２９に強固に取り付けられる。この後、造営物２８側からの電源線等が主ブレーカ５などに接続される。
【００２５】
取付板２は、主ブレーカ５、複数個の分岐ブレーカ６およびブレーカ１６，１７などが配設されて比較的重量物となっているが、複数個のねじ４は、角材２９にねじ込まれているので、前記重量物に対抗することができ、取付板２を角材２９から取り外れにくくする。また、取付板２が角材２９から取り外れないことにより、ケース３も角材２９から取り外れないものである。
【００２６】
このように、分電盤１は、取付板２の複数個の取付孔１０およびケース３の複数個の挿通孔２６にそれぞれ通した複数個のねじ４により、角材２９に取り付けられる構成であるので、安価に形成できる。すなわち、ケース３の底部２３を厚肉にする必要がなく、取付板２を底部２３に多数個のねじで固定する必要がないものである。
【００２７】
本実施形態の分電盤１によれば、取付板２は、複数個のねじ４により、ケース３の底部２３を介して造営物２８に埋め込まれた角材２９に取り付けられるので、主ブレーカ５、複数個の分岐ブレーカ６およびブレーカ１６，１７などを配設して比較的重量のある取付板２を簡易で安価な構成で角材２９に強固に取け付けることができるという効果を有する。
【００２８】
なお、本実施形態において、ねじ４は、木ねじとしたが、これに限らず、雄ねじ部を有するものであり、造営物２８や角材２９に雄ねじ部がねじ込まれる雌ねじ部が設けられたものであってもよい。
【００２９】
また、本発明の上述した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれるものである。
【符号の説明】
【００３０】
１…分電盤、  ２…取付板、  ３…ケース、  ４…ねじ
【図１】
2014197916.tif 000003
【図２】
2014197916.tif 000004
【図３】
2014197916.tif 000005
【図４】
2014197916.tif 000006
【図５】
2014197916.tif 000007
【図６】
2014197916.tif 000008